(57)【要約】【課題】１枚のシートを用いて、３の倍数又は４の倍数の仕切を形成することができる仕切材の改良に関する。【解決手段】矩形状のシートが、一方の延出方向の両端に設けられた一対の端面仕切片部と、該端面仕切片部間に設けられた中間形成部とからなり、前記端面仕切片部が係止溝を有しており、前記中間形成部が底面形成部と一対の側面形成部とからなる仕切部形成片部と、中央に山折線を有して二つ折りされて内側の仕切部の横仕切壁となる内側横仕切壁形成部と、 前記側面形成部に山折線を介して延出方向に連接され前記内側横仕切壁形成部の左右に配置される一対の側方仕切壁形成部とからなる仕切壁形成片部との１又は複数の組合せからなっていることを特徴とする。【選択図】図１
2012041048.tif 000002
【特許請求の範囲】
【請求項１】
１枚の矩形状のシートを折り曲げて一列に３つの仕切部を複数並べて格子状に配置する仕切材において、
矩形状のシートが、一方の延出方向の両端に設けられた一対の端面仕切片部と、該端面仕切片部間に設けられた中間形成部とからなり、
前記端面仕切片部が、起立姿勢で上端部から下方に延びる２つの係止溝と、該係止溝によって分けられて中央となる内側と左右となる外側の３つの片部とを有しており、
前記中間形成部が、前記内側となる片部と谷折線を介して延出方向に連接されて内側の仕切部の底面を形成する底面形成部と、該底面形成部の左右に谷折線を介して連設されて前記内側の仕切部の左右の側面を形成する一対の側面形成部とからなる仕切部形成片部と、
延出方向に離間して配置された一対の仕切部形成片部の間に介設されて、前記底面形成部と谷折線を介して延出方向に連接され中央に山折線を有して二つ折りされ、又は延出方向に連接された底面形成部と切り離されて内側の仕切部の横仕切壁となる内側横仕切壁形成部と、
前記側面形成部に山折線を介して延出方向に連接され前記内側横仕切壁形成部の左右に配置されると共に内側横仕切壁形成部の左右の辺とはスリットで切り離され中央に谷折線を有し二つ折りされて左右外方の仕切壁となる一対の側方仕切壁形成部とからなる仕切壁形成片部との１又は複数の組合せからなり、
前記端面仕切片部と連接する第１の仕切部形成片部の底面形成部の左右に連接する側面形成部には、端面仕切片部側に突出して組立時に前記係止溝に係止される突出片部を有していることを特徴とする仕切材。
【請求項２】
端面仕切片部の左右となる外側の片部で、中央となる内側の片部に接する側に下部切欠部が形成されており、
該端面仕切片部と連接する第１の仕切部形成片部の側面形成部に前記下部切欠部に沿って突出し、組立時に前記下部切欠部に貫挿される下部突出片部が一体に形成されていることを特徴とする請求項１に記載の仕切材。
【請求項３】
１枚の矩形状のシートを折り曲げて一列に４つの仕切部を複数並べて格子状に配置する仕切材において、
矩形状のシートが、一方の延出方向の両端に設けられた一対の端面仕切片部と、該端面仕切片部間に設けられた中間形成部とからなり、
前記各端面仕切片部が左右に離間した一対の分割端面仕切片部からなり、該分割端面仕切片部は起立姿勢で上端部から下方に延びる１つの係止溝と、該係止溝によって分けられる内側と外側の２つの片部とを有しており、
前記中間形成部が、各分割端面仕切片部に谷折線を介して延出方向に連接されて内側の仕切部の底面を形成する底面形成部と、該底面形成部の左右方向の外側に谷折線を介して連設されて前記内側の仕切部の左右方向の外側の側面を形成する側面形成部とからなる仕切部形成片部と、
延出方向に離間して配置された一対の仕切部形成片部の間に形成されて、前記底面形成部と谷折線を介して延出方向に連接され中央に山折線を有して二つ折りされて左右方向の内側の仕切部の横仕切壁となる内側横仕切壁形成部と、 前記側面形成部に山折線を介して延出方向に連接され前記内側横仕切壁形成部の左右方向の外側に配置されると共に内側横仕切壁形成部の左右方向の外側の辺とはスリットで切り離され中央に谷折線を有し二つ折りされて左右方向の外方の仕切壁となる側方仕切壁形成部とからなる仕切壁形成片部との１又は複数の組合せからなり、
前記分割端面仕切片部と連接する第１の仕切部形成片部の底面形成部の左右方向の外側に連接する側面形成部には、分割端面仕切片部側に突出して組立時に前記係止溝に係止される突出片部を有しており、
前記左右一対の分割端面仕切片部は内側の片部間が一定の間隔で離間しており、左右に対向する前記第１の仕切部形成片部の底面形成部と前記分割端面仕切片部の間には、第１の仕切部形成片部の底面形成部の内側の辺とは谷折線を介して連接し分割端面仕切片部との間はスリットで分離され、中央で延出方向に延びる山折線により組立時に重なって左右の底面形成部間を仕切るセンター仕切壁形成部を形成してなり、左右の仕切壁形成片部間は空隙を設けてなることを特徴とする仕切材。
【請求項４】
分割端面仕切片部の左右方向の外側の片部で、内側の片部に接する側に下部切欠部が形成されており、
該分割端面仕切片部と連接する第１の仕切部形成片部の側面形成部に前記下部切欠部に沿って突出し、組立時に前記下部切欠部に貫挿される下部突出片部が一体に形成されていることを特徴とする請求項３に記載の仕切材。
【請求項５】
センター仕切壁形成部が、第１の仕切部形成片部の底面形成部の内側の辺とは谷折線を介して連接し、分割端面仕切片部との間はスリットで分離され、中央で延出方向に延びる山折線により組立時に重なって左右方向を仕切る第１仕切壁部と、一対の第１仕切壁部の左右方向の内側の辺に谷折線を介して連設され、前記左右の底面形成部及び内側横仕切壁形成部に対応して折り曲げされる縦列仕切形成部との１又は複数の組合せからなる中間仕切部形成片部とからなることを特徴とする請求項３又は４に記載の仕切材。
【請求項６】
第１仕切壁部と縦列仕切形成部の底面形成部に対応する片と谷折線を介して連接し分割端部仕切片部側に延びて第１仕切壁部の山折線の内側の片と連接する片にコ字状に起立する折返し片部を設けてなることを特徴とする請求項５に記載の仕切材。
【発明の詳細な説明】
【技術分野】
【０００１】
この発明は、１枚のシートを用いて、３の倍数又は４の倍数の仕切を形成することができる仕切材の改良に関する。
【背景技術】
【０００２】
従来、実開昭５７−１８６３５９号の組仕切では、方形の底板と、この底板の一組の対向側辺に連設された一組の側板と、底板の他の組の対向側辺に連設された他の組の側板とから成り、前記一組の側板は、前記底板に連設されている中央の板部と、該中央の板部の両側に連設されて中央の板部と同じ横長さを有する板部と、これら板部の境界において上端より形成されたスリットとを備え、前記他の組の側板は、中央の板部と、この中央の板部の上端両側から突出して前記スリツトに上方より嵌入する張り出し部と、中央の板部の下端両側から突出する張り出し部とを備えてなる構造が開示されている。
上記構成では、長方形の底板の長手辺に沿う板部にスリットを設けておき、別体の補助仕切板を嵌め込んで最大１２個の仕切空間を形成することができるが、それ以上の仕切空間を形成することはできないし、１２個の仕切空間を形成するためには前述のように、別体の補助仕切板が必要となり、１枚のシートを折り曲げて仕切を形成することはできなかった。
【０００３】
また、特開平１１−２２７７４６号の包装箱用仕切材では、矩形状シートの上下端縁及び左右端縁にそれぞれ平行に、井桁状をした４本の折目線を設け、且つ上下折目線と左右折目線とで囲まれた中央部領域に、上下折目線と平行な中央折目線を設けると共に、前記上下折目線に挟まれた左右折目線上に溝孔又は切目線を設け、更に前記切目線と上下折目線とで囲まれた領域を上下方向に２分する折目線又は切目線を設けて、矩形状のシートに上下左右対称的に４種の仕切壁を形成し、そのシートにおける中央折目線は山折りにし、折目線又は切目線は谷折りにして、上下折目線を挟んで隣り合う仕切壁、及び左右折目線を挟んで隣り合う仕切壁とが互いに直交するように折り曲げてなる構造が開示されている。
しかし、上記構成では、別体の補助仕切板を必要としないが、６個の仕切空間しか形成することができず、また単に折目線に沿って折り曲げるだけであるので、折目部分が反発して戻ろうとするため、仕切形状を保つことが難しい、という不具合があった。
【先行技術文献】
【特許文献】
【０００４】
【特許文献１】実開昭５７−１８６３５９号公報
【特許文献２】特開平１１−２２７７４６号公報
【発明の概要】
【発明が解決しようとする課題】
【０００５】
この発明は、上記事情に鑑みて創案されたものであって、その主たる課題は、１枚のシートを用いて、３の倍数又は４の倍数の仕切を形成することができ、且つロック手段を有するので、仕切形状を保持することができる仕切材を提供することにある。
【課題を解決するための手段】
【０００６】
この発明は、上記課題を解決するために、請求項１の発明では、
１枚の矩形状のシートを折り曲げて一列に３つの仕切部を複数並べて格子状に配置する仕切材において、
矩形状のシートが、一方の延出方向の両端に設けられた一対の端面仕切片部と、該端面仕切片部間に設けられた中間形成部とからなり、
前記端面仕切片部が、起立姿勢で上端部から下方に延びる２つの係止溝と、該係止溝によって分けられて中央となる内側と左右となる外側の３つの片部とを有しており、
前記中間形成部が、前記内側となる片部と谷折線を介して延出方向に連接されて内側の仕切部の底面を形成する底面形成部と、該底面形成部の左右に谷折線を介して連設されて前記内側の仕切部の左右の側面を形成する一対の側面形成部とからなる仕切部形成片部と、
延出方向に離間して配置された一対の仕切部形成片部の間に介設されて、前記底面形成部と谷折線を介して延出方向に連接され中央に山折線を有して二つ折りされ、又は延出方向に連接された底面形成部と切り離されて内側の仕切部の横仕切壁となる内側横仕切壁形成部と、前記側面形成部に山折線を介して延出方向に連接され前記内側横仕切壁形成部の左右に配置されると共に内側横仕切壁形成部の左右の辺とはスリットで切り離され中央に谷折線を有し二つ折りされて左右外方の仕切壁となる一対の側方仕切壁形成部とからなる仕切壁形成片部との１又は複数の組合せからなり、
前記端面仕切片部と連接する第１の仕切部形成片部の底面形成部の左右に連接する側面形成部には、端面仕切片部側に突出して組立時に前記係止溝に係止される突出片部を有していることを特徴とする。
また、請求項２の発明では、
前記端面仕切片部の左右となる外側の片部で、中央となる内側の片部に接する側に下部切欠部が形成されており、
該端面仕切片部と連接する第１の仕切部形成片部の側面形成部に前記下部切欠部に沿って突出し、組立時に前記下部切欠部に貫挿される下部突出片部が一体に形成されていることを特徴とする。
【０００７】
請求項３の発明では、
１枚の矩形状のシートを折り曲げて一列に４つの仕切部を複数並べて格子状に配置する仕切材において、
矩形状のシートが、一方の延出方向の両端に設けられた一対の端面仕切片部と、該端面仕切片部間に設けられた中間形成部とからなり、
前記各端面仕切片部が左右に離間した一対の分割端面仕切片部からなり、該分割端面仕切片部は起立姿勢で上端部から下方に延びる１つの係止溝と、該係止溝によって分けられる内側と外側の２つの片部とを有しており、
前記中間形成部が、各分割端面仕切片部に谷折線を介して延出方向に連接されて内側の仕切部の底面を形成する底面形成部と、該底面形成部の左右方向の外側に谷折線を介して連設されて前記内側の仕切部の左右方向の外側の側面を形成する側面形成部とからなる仕切部形成片部と、
延出方向に離間して配置された一対の仕切部形成片部の間に形成されて、前記底面形成部と谷折線を介して延出方向に連接され中央に山折線を有して二つ折りされて左右方向の内側の仕切部の横仕切壁となる内側横仕切壁形成部と、 前記側面形成部に山折線を介して延出方向に連接され前記内側横仕切壁形成部の左右方向の外側に配置されると共に内側横仕切壁形成部の左右方向の外側の辺とはスリットで切り離され中央に谷折線を有し二つ折りされて左右方向の外方の仕切壁となる側方仕切壁形成部とからなる仕切壁形成片部との１又は複数の組合せからなり、
前記分割端面仕切片部と連接する第１の仕切部形成片部の底面形成部の左右方向の外側に連接する側面形成部には、分割端面仕切片部側に突出して組立時に前記係止溝に係止される突出片部を有しており、
前記左右一対の分割端面仕切片部は内側の片部間が一定の間隔で離間しており、左右に対向する前記第１の仕切部形成片部の底面形成部と前記分割端面仕切片部の間には、第１の仕切部形成片部の底面形成部の内側の辺とは谷折線を介して連接し分割端面仕切片部との間はスリットで分離され、中央で延出方向に延びる山折線により組立時に重なって左右の底面形成部間を仕切るセンター仕切壁形成部を形成してなり、左右の仕切壁形成片部間は空隙を設けてなることを特徴とする。
また、請求項４の発明では、
前記分割端面仕切片部の左右方向の外側の片部で、内側の片部に接する側に下部切欠部が形成されており、
該分割端面仕切片部と連接する第１の仕切部形成片部の側面形成部に前記下部切欠部に沿って突出し、組立時に前記下部切欠部に貫挿される下部突出片部が一体に形成されていることを特徴とする。
請求項５の発明では、
前記センター仕切壁形成部が、第１の仕切部形成片部の底面形成部の内側の辺とは谷折線を介して連接し、分割端面仕切片部との間はスリットで分離され、中央で延出方向に延びる山折線により組立時に重なって左右方向を仕切る第１仕切壁部と、一対の第１仕切壁部の左右方向の内側の辺に谷折線を介して連設され、前記左右の底面形成部及び内側横仕切壁形成部に対応して折り曲げされる縦列仕切形成部との１又は複数の組合せからなる中間仕切部形成片部とからなることを特徴とする。
請求項６の発明では、
前記第１仕切壁部と縦列仕切形成部の底面形成部に対応する片と谷折線を介して連接し分割端面仕切片部側に延びて第１仕切壁部の山折線の内側の片と連接する片にコ字状に起立する折返し片部を設けてなることを特徴とする。
【発明の効果】
【０００８】
この発明の仕切材では、１枚のシートを用いて、３の倍数又は４の倍数の仕切を形成することができ、廉価な仕切材で多数の仕切部を形成することができる。
また、仕切材の延出方向の端部には、折り曲げた仕切構造をロックする手段を設けているので、仕切部の形状を箱に入れるまでの間、容易に保持することができる。
【図面の簡単な説明】
【０００９】
【図１】実施例１の仕切材の展開図である。
【図２（ａ）】同組立状態を示す斜視図である。
【図２（ｂ）】同組立状態の平面図である。
【図２（ｃ）】内側横仕切壁形成部の異なる形状の展開図である。
【図３】実施例２の仕切材の展開図である。
【図４】実施例３の仕切材の展開図である。
【図５（ａ）】同組立状態を示す斜視図である。
【図５（ｂ）】同組立状態の平面図である。
【図６】実施例４の仕切材の展開図である。
【図７】同組立状態の一部を示す斜視図である。
【図８】同組立状態の平面図である。
【発明を実施するための形態】
【００１０】
以下に、この発明の仕切材の好適実施例について図面を参照しながら説明する。
【実施例１】
【００１１】
[仕切材]
本実施例の仕切材１０は、１枚の矩形状のシートを折り曲げて一列に３つの仕切部を複数並べて格子状に配置した構成からなっている。
図１に示すように、略矩形シート状のブランクＢは、一方の延出方向（ブランクの長手方向）の両端に設けられた一対の端面仕切片部１と、該端面仕切片部１、１間に設けられた中間形成部２０とからなっている。
【００１２】
[端面仕切片部]
前記端面仕切片部１は、起立姿勢で上端部から下方に延びる２つの係止溝２と、該係止溝２によって分けられて中央（内側）の片部３と、左右（外側）の片部４、４の３つの片部からなっており、一列に３つの仕切部が配置されるようになっている。
【００１３】
[中間形成部]
前記中間形成部２０は、仕切部形成片部１５と仕切壁形成片部１８との１又は複数の組合せからなる。
仕切部形成片部１５は、前記中央の片部３と谷折線Ｌ１を介して延出方向に連接されて中央の仕切部の底面を形成する底面形成部１１と、該底面形成部１１の左右に谷折線Ｌ１を介して連設されて前記中央の仕切部の左右の側面を形成する一対の側面形成部１２とからなっている。
【００１４】
[仕切壁形成片部]
仕切壁形成片部１８は、内側横仕切壁形成部１６と、一対の側方仕切壁形成部１７とからなる。
【００１５】
[内側横仕切壁形成部]
内側横仕切壁形成部１６は、延出方向に離間して配置された一対の仕切部形成片部１５、１５の間に介設されて、前記底面形成部１１と谷折線Ｌ１を介して延出方向に連接され中央に山折線Ｌ２を有して二つ折りされて内側の仕切部の横仕切壁となる。
図２（ｃ）には、異なる形状の内側横仕切壁形成部１６’を示す。
この内側横仕切壁形成部１６’は前記底面形成部１１と谷折線Ｌ１を介して延出方向に連接されるが、図１と異なり中央に折目を設けず一連に形成され、延出方向に連接された底面形成部１１とスリットＳ１’により切り離されている。
これにより、内側横仕切壁形成部１６’は、組立時に基端の谷折線Ｌ１に沿って垂直に立設されて内側の仕切部の横仕切壁となる。
その他の構成は図１と同様である。
【００１６】
[側方仕切壁形成部]
側方仕切壁形成部１７は、前記側面形成部１２に山折線Ｌ２を介して延出方向に連接され、前記内側横仕切壁形成部１６の左右に配置されると共に内側横仕切壁形成部１６の左右の辺とはスリットＳ１で切り離されている。
そして、側方仕切壁形成部１７は、スリットＳ１に沿って谷折りされると共に、中央に谷折線Ｌ１を有しているので、該谷折線Ｌ１に沿って二つ折りされることで右外方の仕切壁となる。
なお、延出方向に連なる側方仕切壁形成部１７、１７の中間となる前記スリットＳ１の中央には、略三角形状の切欠Ｃ１が形成されて側方仕切壁形成部１７、１７の二つ折りを容易化している。
【００１７】
[第１の仕切部形成片部]
前記端面仕切片部１と連接する仕切部形成片部（説明の便宜上、第１の仕切部形成片部１５’とする）の底面形成部１１の左右に連接する側面形成部１２には、端面仕切片部１側に突出して組立時に前記係止溝２に係止される突出片部１３を有している。
本実施例では、係止溝２に突出片部１３を係合するために、係止溝２の先端に切込みＲ１を設け、突出片部１３の基部に前記切込みＲ１と噛み合う細溝Ｒ２を設けて係合力を高めている。
【００１８】
また、前記第１の仕切部形成片部１５で、端面仕切片部１の左右となる外側の片部４、４で、中央となる内側の片部３に接する側に下部切欠部５が形成されている。
そして、端面仕切片部１と連接する第１の仕切部形成片部１５’の側面形成部１２に前記下部切欠部５に沿って突出し、組立時に前記下部切欠部５に貫挿される下部突出片部１４が一体に形成されている。
【００１９】
そして、本実施例では、中間形成部２０として、両端に設けられた第１仕切部形成片部１５’と、これに連なる仕切壁形成片部１８と、該仕切壁形成片部１８間に介設された別の仕切壁形成片部１８とからなる（列）３×（行）５（合計１５）の仕切部を有する仕切材１０から構成されている（図２（ｂ）参照）。
【００２０】
図示例では、中間形成部２０として、両端に設けられた第１の仕切部形成片部１５’と、これらに連なる仕切壁形成片部１８と、各仕切壁形成片部１８に連接された仕切部形成片部１５と、該一対の仕切部形成片部１５の間に介設された仕切壁形成片部１８とからなっている。
【００２１】
従って、端面仕切片部１を起立状に折り曲げ、仕切部形成片部１５及び仕切壁形成片部１８の左右の片を中央の片に対して直角に起立させ、突出片部１３を係止溝２と交差するように嵌め込んで、上面が開口した箱型状に折り畳む。
次いで、延出方向の両側から圧縮するようにして、前記仕切壁形成片部１８の底面の内側横仕切壁形成部１６を二つ折りし重ね合わせて起立させ、側方仕切壁形成部１７を二つ折りし重ね合わせて外側に突出させて、仕切壁を形成することができる（図２参照）。
【００２２】
仕切部を更に増やす場合には、前記仕切部形成片部１５と仕切壁形成片部１８を追加すればよい。
図３に示す仕切材１０は、（列）３×（行）６（合計１８）の仕切部を有する構造からなっている。
【００２３】
即ち、中間形成部２０は、中央に仕切壁形成片部１８が配置され、仕切部形成片部１５と仕切壁形成片部１８を順番に設け、上記仕切壁形成片部１８に第１の仕切部形成片部１５’を設けた構成となっている。
【００２４】
従って、中間形成部２０は、その中央に仕切壁形成片部１８又は仕切部形成片部１５を配置し、仕切壁形成片部１８と仕切部形成片部１５とが交互に配置されて端部が仕切部形成片部１５の１つである第１の仕切部形成片部１５’となるように配置されればよく、３の倍数の仕切部を容易に形成することができる。
【実施例２】
【００２５】
図４〜図５に示す仕切材１０は、１列に４つの仕切部を有する構造からなっている。
この場合、端面仕切片部が、左右に離間した一対の分割端面仕切片部１Ａ、１Ｂからなり、これに連接する仕切部形成片部１５と仕切壁形成片部１８も左右に分離し、その中間にセンター仕切壁形成部３０を介設して仕切部を４つにした構成からなっている。
【００２６】
[分割端面仕切片部]
即ち、前記各端面仕切片部は、一定の隙間を隔てて左右に離間した一対の分割端面仕切片部１Ａと１Ｂに分かれる。
そして、分割端面仕切片部１Ａ、１Ｂは、起立姿勢で上端部から下方に延びる１つの係止溝２と、該係止溝２によって分けられる内側の片部３と外側の片部４の２つを有している。
【００２７】
中間形成部２０は、左右に離間して配置された仕切部形成片部１５’と仕切壁形成片部１８との１又は複数の組合せからなる。
分割端面仕切片部１Ａ、１Ｂに連接する第１の仕切部形成片部１５’は、分割端面仕切片部１Ａ、１Ｂに谷折線Ｌ１を介して延出方向に連接されて内側の仕切部の底面を形成する底面形成部１１’と、該底面形成部１１’の左右方向の外側に谷折線Ｌ１を介して連設されて前記内側の仕切部の左右方向の外側の側面を形成する側面形成部１２’とからなる。
【００２８】
また、中間形成部２０は、延出方向に離間して配置された一対の仕切部形成片部１５の間に形成されて、前記底面形成部１１と谷折線Ｌ１を介して延出方向に連接され中央に山折線Ｌ２を有して二つ折りされて左右方向の内側の仕切部の横仕切壁となる内側横仕切壁形成部１６と、 前記側面形成部１２’に山折線Ｌ２を介して延出方向に連接され前記内側横仕切壁形成部１６の左右方向の外側に配置されると共に内側横仕切壁形成部１６の左右方向の外側の辺とはスリットＳ２で切り離され中央に谷折線Ｌ１を有し二つ折りされて左右方向の外方の仕切壁となる側方仕切壁形成部１７とからなる仕切壁形成片部１８を設けている。
【００２９】
前記分割端面仕切片部１Ａ、１Ｂと連接する第１の仕切部形成片部１５’の底面形成部１１の左右方向の外側に連接する側面形成部１２には、分割端面仕切片部１Ａ、１Ｂ側に突出して組立時に前記係止溝２に係止される突出片部１３を有している。
【００３０】
前記左右一対の分割端面仕切片部１Ａと１Ｂは、それぞれの内側の片部３間が一定の間隔で離間しており、左右に対向する前記第１の仕切部形成片部１５’の底面形成部１１と前記分割端面仕切片部１Ａ、１Ｂの間には、第１の仕切部形成片部１５’の底面形成部１１の内側の辺とは谷折線Ｌ１を介して連接し分割端面仕切片部１Ａ、１Ｂとの間はスリットＳ２で分離され、中央で延出方向に延びる山折線Ｌ２により組立時に重なって左右の底面形成部間を仕切るセンター仕切壁形成部３０を形成している。
また、左右の仕切壁形成片部１８、１８間は空隙Ｃ２を設けている。
【００３１】
図示例の場合、中間形成部２０は、第１の仕切部形成片部１５’と、該第１の仕切部形成片部１５’間に介設される１つの仕切壁形成片部１８の組合せで、（列）４×（行）４（合計１６）の仕切部が形成される（図５（ｂ）参照）。
【００３２】
センター仕切壁形成部３０は、第１の仕切部形成片部１５’の底面形成部１１の内側の辺とは谷折線Ｌ１を介して連接し、分割端面仕切片部１Ａ、１Ｂとの間はスリットＳ３で分離され、中央で延出方向に延びる山折線Ｌ２により組立時に重なって左右方向を仕切る第１仕切壁部３１を有している。
【００３３】
従って、分割端面仕切片部１Ａ、１Ｂを起立状に折り曲げ、仕切部形成片部１５及び仕切壁形成片部１８の外側の片を水平に配置された内側の片に対して直角に起立させ、突出片部１３を係止溝２と交差するように嵌め込んで、上面が開口した箱型状に折り畳む。
そして左右から圧縮することで、前記第１仕切壁部３１が二つ折りされて重なり、先端が分割端面仕切片部１Ａ、１Ｂの間から突出する。
【００３４】
次いで、延出方向の両側から圧縮するようにして、前記仕切壁形成片部１８の底面の内側横仕切壁形成部１６を二つ折りし重ね合わせて起立させ、側方仕切壁形成部１７を二つ折りし重ね合わせて外側に突出させて、仕切壁を形成することができる（図５参照）。
【実施例３】
【００３５】
図６〜図８に示す仕切材１は、（列）５×（行）４（合計２０）の仕切部が形成される（図８参照）。
即ち、本実施例の仕切材１は、実施例２の仕切材１でセンター仕切壁形成部３０が異なる構成を示す。
その他の構成は前記実施例２に準じるので、その説明を省略する。
【００３６】
センター仕切壁形成部３０は、第１仕切壁部３１と縦列仕切形成部３２との組合せからなる。
第１仕切壁部３１は、第１の仕切部形成片部１５’の底面形成部１１の内側の辺とは谷折線Ｌ１を介して連接し、分割端面仕切片部１Ａ、１Ｂとの間はスリットＳ４で分離され、中央で延出方向に延びる山折線Ｌ２により組立時に重なって左右方向を仕切る構成からなっている。
【００３７】
縦列仕切形成部３２は、前記第１仕切壁部３１を左右に離間して左右一対に設け、該一対の第１仕切壁部３１の左右方向の内側の辺に谷折線Ｌ１を介して帯状に連設され、左右方向に並んで設けられた第１の仕切部形成片部１５’の底面形成部１１と、仕切壁形成片部１８の内側横仕切壁形成部１６に対応して折曲線が形成されている。
【００３８】
また、第１仕切壁部３１と縦列仕切形成部３２の底面形成部１１に対応する片４１と、内側横仕切壁形成部１６に対応する片４２とを有し、谷折線Ｌ１を介して連接し分割端面仕切片部１Ａ又は１Ｂ側に延びて第１仕切壁部３１の山折線Ｌ２の内側の片と連接する片にコ字状に起立する折返し片部４３を設けている。
【００３９】
この折返し片部４３は、前記片４１の左右の谷折線Ｌ１の延長上に設けられる山折線Ｌ２と、前記片４１に対して直角に起立させる谷折線Ｌ１とを有し、左右の第１仕切壁部３１の内側の片の中途位置に形成されたスリットＳ４と、該スリットＳ４の端部から前記の片４１の角部まで傾斜状の谷折線Ｌ１とを有している。
これにより、起立状に折り返すことで仕切を形成することができる。
その他の構成は前記実施例と同様であるので、その説明を省略する。
【００４０】
上記構成の場合も中間形成部を同様の組合せを繰り返すことで多数の仕切を形成することができる。
本実施例では、仕切部の縦横がほぼ等しい長さ（平面視で略正方形）に設定した場合を図示したが、仕切部の縦横の長さは異なって、縦長又は横長の平面視で矩形となるものでもよい。
その他この発明は、上記実施例に限定されるものではなく、要するに、この発明の要旨を変更しない範囲で種々設計変更しうる。
【符号の説明】
【００４１】
１    端面仕切片部
１Ａ、１Ｂ  分割端面仕切片部
２    係止溝
３    中央（内側）の片部
４    左右（外側）の片部
１０    仕切材
１１    底面形成部
１２    側面形成部
１３    突出片部
１４    下部突出片部
１５    仕切部形成片部
１５’  第１の仕切部形成片部
１６    内側横仕切壁形成部
１７    側方仕切壁形成部
１８    仕切壁形成片部
２０    中間形成部
３０    センター仕切壁形成部
３１    第１仕切壁部
３２    縦列仕切形成部
Ｌ１    谷折線
Ｌ２    山折線
Ｓ１〜Ｓ４  スリット
Ｃ１    切欠
Ｃ２    空隙
【図１】
2012041048.tif 000003
【図２（ａ）】
2012041048.tif 000004
【図２（ｂ）】
2012041048.tif 000005
【図２（ｃ）】
2012041048.tif 000006
【図３】
2012041048.tif 000007
【図４】
2012041048.tif 000008
【図５（ａ）】
2012041048.tif 000009
【図５（ｂ）】
2012041048.tif 000010
【図６】
2012041048.tif 000011
【図７】
2012041048.tif 000012
【図８】
2012041048.tif 000013